(57)【要約】【課題】マーク部の輝度を動的に変化でき、マーク表示に演出効果を有する表示装置を提供する。【解決手段】透過方向が互いに異なる偏光特性を有して並置される複数のマーク部Ｍ１、Ｍ２、Ｍ３と、各透過方向に対応した偏光方向を有し、各マーク部を照明する偏光源Ｓ１、Ｓ２と、各偏光源の各輝度を独立して制御する制御部１０と、を有して表示装置を構成する。【選択図】図１
2018063303.tif 000002
【特許請求の範囲】
【請求項１】
透過方向が互いに異なる偏光特性を有して並置される複数のマーク部と、
前記各透過方向に対応した偏光方向を有し、前記各マーク部を照明する偏光源と、
前記各偏光源の各輝度を独立して制御する制御部と、
を有することを特徴とする表示装置。
【請求項２】
前記制御部は、前記輝度を時系列的に変化させる制御を行なうことを特徴とする請求項１に記載の表示装置。
【請求項３】
前記マーク部は、第１マーク部、第２マーク部、及び第３マーク部からなり、
前記第１マーク部の透過方向と前記第３マーク部の透過方向は互いに直交し、前記第１マーク部の透過方向と前記第２マーク部の透過方向、及び、前記第２マーク部の透過方向と前記第３マーク部の透過方向は、４５°の角度をなして構成されていることを特徴とする請求項１又２に記載の表示装置。
【発明の詳細な説明】
【技術分野】
【０００１】
本発明は、表示装置に関する。
【背景技術】
【０００２】
従来の技術として、同一表示面上に相異なる図形等を表示切換えできる表示装置が知られている（例えば、特許文献１参照）。この表示装置は、２つの光源と、これらの各々の光源の前方に個々設けられた偏光方向が互いに直角をなす２つの光源偏光板と、これらの光源偏光板の前方に互いに重ね合わせて設けられ偏光方向が互いに直角をなすとともに表示図形あるいは文字等を切り欠いて透光部となした２つの表示偏光板よりなり、２つの光源の点灯の点灯切換により表示切換する表示切換灯として構成されている。
【０００３】
この表示装置によれば、同一表示面上に相異なる図形等を表示切換えできるものであるため、表示面のスペースが少なくてすみ、従来の同一目的の表示切換灯に比較して簡単な構成で明瞭な表示が得られるとされている。
【先行技術文献】
【特許文献】
【０００４】
【特許文献１】実公昭６１−２５００２号公報
【発明の概要】
【発明が解決しようとする課題】
【０００５】
しかし、特許文献１の表示装置は、図形等を表示切換えをすることはできるが、演出機能を備えたマーク表示をすることは十分ではなかった。すなわち、マーク表示において、表示マークの輝度を動的に変化させることにより、アニメーションのような表示による演出機能が発揮できないという問題があった。
【０００６】
従って、本発明の目的は、マーク部の輝度を動的に変化でき、マーク表示に演出効果を有する表示装置を提供することにある。
【課題を解決するための手段】
【０００７】
［１］上記目的を達成するため、透過方向が互いに異なる偏光特性を有して並置される複数のマーク部と、前記各透過方向に対応した偏光方向を有し、前記各マーク部を照明する偏光源と、前記各偏光源の各輝度を独立して制御する制御部と、を有することを特徴とする表示装置を提供する。
【０００８】
［２］前記制御部は、前記輝度を時系列的に変化させる制御を行なうことを特徴とする上記［１］に記載の表示装置であってもよい。
【０００９】
［３］また、前記マーク部は、第１マーク部、第２マーク部、及び第３マーク部からなり、前記第１マーク部の透過方向と前記第３マーク部の透過方向は互いに直交し、前記第１マーク部の透過方向と前記第２マーク部の透過方向、及び、前記第２マーク部の透過方向と前記第３マーク部の透過方向は、４５°の角度をなして構成されていることを特徴とする上記［１］又は［２］に記載の表示装置であってもよい。
【発明の効果】
【００１０】
本発明によれば、マーク部の輝度を動的に変化でき、マーク表示に演出効果を有する表示装置を提供することが可能となる。
【図面の簡単な説明】
【００１１】
【図１】図１（ａ）は、本発明の実施の形態に係る表示装置の概略構成を示す構成図であり、図１（ｂ）は、表示装置をＡ方向から見たときの上平面図である。
【図２】図２は、図１（ｂ）の上平面図に、偏光源Ｓ１、Ｓ２による輝度変化を記載して説明した上平面図である。
【図３】図３（ａ）は、偏光源Ｓ１、Ｓ２の時系列的な輝度変化を示す図であり、図３（ｂ）は、偏光フィルムＦ１の輝度変化を示す図、図３（ｃ）は、偏光フィルムＦ２の輝度変化を示す図、図３（ｄ）は、偏光フィルムＦ３の輝度変化を示す図である。
【図４】図４（ａ）は、偏光フィルムＦ１、Ｆ２、Ｆ３、及びＦ４により１つの星形マークを形成したマークの一例を示す図であり、図４（ｂ）は、時間ｔ１からｔ５までの期間において、星形マークがどのように輝度表示されるかを左から右の矢印に沿って表示して説明した図である。
【図５】図５（ａ）は、偏光フィルムＦ１、Ｆ２、Ｆ３、及びＦ４により６つの小円マークを形成したマークの一例を示す図であり、図５（ｂ）は、時間ｔ１からｔ５までの期間において、６つの小円マークがどのように輝度表示されるかを左から右の矢印に沿って表示して説明した図である。
【発明を実施するための形態】
【００１２】
（本発明の実施の形態に係る表示装置１の構成）
以下、これらの図に基づいて、本発明の実施の形態に係る表示装置１の構成を説明する。
【００１３】
本発明の実施の形態に係る表示装置１は、透過方向が互いに異なる偏光特性を有して並置される複数のマーク部Ｍ１、Ｍ２、Ｍ３と、各透過方向に対応した偏光方向を有し、各マーク部を照明する偏光源Ｓ１、Ｓ２と、各偏光源の各輝度を独立して制御する制御部１０と、を有して構成されている。
【００１４】
表示装置１は、図１（ａ）、（ｂ）に示すように、基材フィルムＦ０上に並置されたマーク部Ｍ１、Ｍ２、Ｍ３と不透過フィルムＦ４により多層フィルムＦとして構成されている。マーク部Ｍ１、Ｍ２、Ｍ３と不透過フィルムＦ４は、基材フィルムＦ０上に印刷により形成され、図形、文字等を形成している。
【００１５】
基材フィルムＦ０は、透明フィルムである。
【００１６】
マーク部Ｍ１、Ｍ２、Ｍ３は、偏光フィルムＦ１、Ｆ２、Ｆ３であって、透過方向が互いに異なる偏光特性を有している。マーク部Ｍ１、Ｍ２、Ｍ３は、重複せずに、基材フィルムＦ０上に並置されている。
【００１７】
図１（ｂ）に示すように、偏光フィルムの透過方向を図面の上下方向を基準として偏光角Ψ＝０°（透過軸）とすると、マーク部Ｍ１の偏光フィルムＦ１は偏光角Ψ＝０°、マーク部Ｍ２の偏光フィルムＦ２は偏光角Ψ＝４５°、マーク部Ｍ３の偏光フィルムＦ３は偏光角Ψ＝９０°である。
【００１８】
偏光フィルムＦ１、Ｆ２、Ｆ３は、例えば、高分子鎖に色素等を吸着させ、色素等の延伸方向と直交する方向に偏光された偏光源を透過するフィルムである。
【００１９】
偏光源Ｓ１、Ｓ２は、レーザ光、ＬＥＤ光等が使用できる。ＬＥＤ光等では特定の方向に偏光成分を有するように出射部に偏光素子を配置する。偏光源Ｓ１は、図１（ａ）に示すように、偏光角Ψ＝０°の偏光Ｌ１を出射する。また、偏光源Ｓ２は、図１（ａ）に示すように、偏光角Ψ＝９０°の偏光Ｌ２を出射する。偏光源Ｓ１、Ｓ２は、図１（ａ）に示すように、各偏光フィルムＦ１、Ｆ２、Ｆ３に対して出射されて、各マーク部Ｍ１、Ｍ２、Ｍ３を照明する。
【００２０】
偏光フィルムＦ１（マーク部Ｍ１）は、偏光Ｌ１を１００％透過し、偏光Ｌ２を透過しない。偏光フィルムＦ２（マーク部Ｍ２）は、偏光Ｌ１を５０％透過し、偏光Ｌ２を５０％透過する。偏光フィルムＦ３（マーク部Ｍ３）は、偏光Ｌ１を透過せず、偏光Ｌ２を１００％透過する。また、不透過フィルムＦ４は、偏光Ｌ１、Ｌ２共に透過しない。
【００２１】
（マーク部Ｍ１、Ｍ２、Ｍ３を同時に同輝度で表示させる場合）
偏光源Ｓ１、Ｓ２に供給する電流量を同一として、偏光源Ｓ１（偏光Ｌ１）、偏光源Ｓ２（偏光Ｌ２）の輝度を同一とする。
【００２２】
この偏光源Ｓ１、Ｓ２による輝度を共にＬとすると、図２に示すように、偏光フィルムＦ１（マーク部Ｍ１）の輝度は、偏光源Ｓ１による輝度Ｌと偏光源Ｓ２による輝度０とから輝度Ｌとなる。同様に、偏光フィルムＦ２（マーク部Ｍ２）の輝度は、偏光源Ｓ１による輝度Ｌ／２と偏光源Ｓ２による輝度Ｌ／２とから輝度Ｌとなる。また、偏光フィルムＦ３（マーク部Ｍ３）の輝度は、偏光源Ｓ１による輝度０と偏光源Ｓ２による輝度Ｌとから輝度Ｌとなる。
【００２３】
上記示したように、偏光源Ｓ１、Ｓ２に供給する電流量を同一とすることにより、マーク部Ｍ１、Ｍ２、Ｍ３を同時に同輝度で表示させることができる。
【００２４】
（マーク部Ｍ１、Ｍ２、Ｍ３を時系列的に順番に表示させる場合）
図３（ａ）に示すように、偏光源Ｓ１の輝度を時間ｔ０からｔ１にかけて０（ゼロ）からＬまで増加させ、時間ｔ１からｔ３まで輝度をＬ一定とし、時間ｔ３からｔ４にかけてＬから０（ゼロ）まで減少させる。制御部１０は、偏光源Ｓ１に供給する電流量を所望の輝度に対応させて増減させる制御を行なえばよい。
【００２５】
同様に、偏光源Ｓ２の輝度を時間ｔ１からｔ２にかけて０（ゼロ）からＬまで増加させ、時間ｔ２からｔ４まで輝度をＬ一定とし、時間ｔ４からｔ５にかけてＬから０（ゼロ）まで減少させる。制御部１０は、偏光源Ｓ２に供給する電流量を所望の輝度に対応させて増減させる制御を行なえばよい。
【００２６】
（実施例１、１つの星形マークの光が左から右に流れていくような表示例）
図４（ａ）に示すマーク例は、偏光フィルムＦ１、Ｆ２、Ｆ３により、星形マークの左側部分、中央部分、右側部分が形成されて、１つの星形マークとして形成されている。この星形マークを図３（ａ）で示した偏光源Ｓ１、Ｓ２の輝度制御により演出表示を行なう。
【００２７】
図３（ａ）に示すように偏光源Ｓ１、Ｓ２の輝度制御を行なうと、偏光フィルムＦ１（星形マークの左側部分）の輝度は、図３（ｂ）に示すように、時間ｔ０からｔ１にかけて０（ゼロ）からＬまで増加し、時間ｔ１からｔ３まで輝度はＬ一定、時間ｔ３からｔ４にかけてＬから０（ゼロ）まで減少する。これは、偏光源Ｓ１の輝度変化と同じである。
【００２８】
偏光フィルムＦ２（星形マークの中央部分）の輝度は、図３（ｃ）に示すように、時間ｔ０からｔ２にかけて０（ゼロ）からＬまで増加し、時間ｔ２からｔ３まで輝度はＬ一定、時間ｔ３からｔ５にかけてＬから０（ゼロ）まで減少する。
【００２９】
偏光フィルムＦ３（星形マークの右側部分）の輝度は、図３（ｄ）に示すように、時間ｔ１からｔ２にかけて０（ゼロ）からＬまで増加し、時間ｔ２からｔ４まで輝度はＬ一定、時間ｔ４からｔ５にかけてＬから０（ゼロ）まで減少する。これは、偏光源Ｓ２の輝度変化と同じである。
【００３０】
偏光フィルムＦ１（星形マークの左側部分）、偏光フィルムＦ２（星形マークの中央部分）、及び偏光フィルムＦ３（星形マークの右側部分）が時間と共に上記のように輝度変化すると、図４（ａ）に示す１つの星形マークは、図４（ｂ）に示すように輝度変化する。
【００３１】
時間ｔ０からｔ１において、偏光フィルムＦ１（星形マークの左側部分）の輝度は０（ゼロ）からＬまで増加し、偏光フィルムＦ２（星形マークの中央部分）の輝度は０（ゼロ）からＬ/２まで増加し、偏光フィルムＦ３（星形マークの右側部分）の輝度は０（ゼロ）である。
【００３２】
時間ｔ１からｔ２において、偏光フィルムＦ１（星形マークの左側部分）の輝度はＬ一定、偏光フィルムＦ２（星形マークの中央部分）の輝度はＬ/２からＬまで増加し、偏光フィルムＦ３（星形マークの右側部分）の輝度は０（ゼロ）からＬまで増加する。
【００３３】
時間ｔ２からｔ３において、偏光フィルムＦ１（星形マークの左側部分）、偏光フィルムＦ２（星形マークの中央部分）、偏光フィルムＦ３（星形マークの右側部分）の輝度はＬ一定である。すなわち、星形マークの全領域の輝度はＬ一定である。
【００３４】
時間ｔ３からｔ４において、偏光フィルムＦ１（星形マークの左側部分）の輝度はＬから０（ゼロ）まで減少し、偏光フィルムＦ２（星形マークの中央部分）の輝度はＬからＬ/２まで減少し、偏光フィルムＦ３（星形マークの右側部分）の輝度はＬ一定である。
【００３５】
時間ｔ４からｔ５において、偏光フィルムＦ１（星形マークの左側部分）の輝度は０（ゼロ）、偏光フィルムＦ２（星形マークの中央部分）の輝度はＬ/２から０（ゼロ）まで減少し、偏光フィルムＦ３（星形マークの右側部分）の輝度はＬから０（ゼロ）まで減少する。
【００３６】
したがって、１つの星形マークの輝度変化は、図４（ｂ）の矢印に示すように、星形マークの左側から右側に輝度変化が移動するような演出表示を行なうことができる。これにより、１つの星形マークの光が左から右に流れていくような表示が可能となる。
【００３７】
（実施例２、６つの小円マークが不規則的に輝いているように表示される例）
図５（ａ）に示すマーク例は、偏光フィルムＦ１による２つの小円マーク、偏光フィルムＦ２による２つの小円マーク、偏光フィルムＦ３による２つの小円マークが、不規則的に配置されて形成されている。この６つの小円マークを図３（ａ）で示した偏光源Ｓ１、Ｓ２の輝度制御により演出表示を行なう。
【００３８】
図３（ａ）に示すように偏光源Ｓ１、Ｓ２の輝度制御を行なうと、偏光フィルムＦ１（２つの小円マーク）の輝度は、図３（ｂ）に示すように、時間ｔ０からｔ１にかけて０（ゼロ）からＬまで増加し、時間ｔ１からｔ３まで輝度はＬ一定、時間ｔ３からｔ４にかけてＬから０（ゼロ）まで減少する。これは、偏光源Ｓ１の輝度変化と同じである。
【００３９】
偏光フィルムＦ２（２つの小円マーク）の輝度は、図３（ｃ）に示すように、時間ｔ０からｔ２にかけて０（ゼロ）からＬまで増加し、時間ｔ２からｔ３まで輝度はＬ一定、時間ｔ３からｔ５にかけてＬから０（ゼロ）まで減少する。
【００４０】
偏光フィルムＦ３（２つの小円マーク）の輝度は、図３（ｄ）に示すように、時間ｔ１からｔ２にかけて０（ゼロ）からＬまで増加し、時間ｔ２からｔ４まで輝度はＬ一定、時間ｔ４からｔ５にかけてＬから０（ゼロ）まで減少する。これは、偏光源Ｓ２の輝度変化と同じである。
【００４１】
偏光フィルムＦ１（２つの小円マーク）、偏光フィルムＦ２（２つの小円マーク）、及び偏光フィルムＦ３（２つの小円マーク）が時間と共に上記のように輝度変化すると、図５（ａ）に示す６つの小円マークは、図５（ｂ）に示すように輝度変化する。
【００４２】
時間ｔ０からｔ１において、偏光フィルムＦ１（２つの小円マーク）の輝度は０（ゼロ）からＬまで増加し、偏光フィルムＦ２（２つの小円マーク）の輝度は０（ゼロ）からＬ/２まで増加し、偏光フィルムＦ３（２つの小円マーク）の輝度は０（ゼロ）である。
【００４３】
時間ｔ１からｔ２において、偏光フィルムＦ１（２つの小円マーク）の輝度はＬ一定、偏光フィルムＦ２（２つの小円マーク）の輝度はＬ/２からＬまで増加し、偏光フィルムＦ３（２つの小円マーク）の輝度は０（ゼロ）からＬまで増加する。
【００４４】
時間ｔ２からｔ３において、偏光フィルムＦ１（２つの小円マーク）、偏光フィルムＦ２（２つの小円マーク）、偏光フィルムＦ３（２つの小円マーク）の輝度はＬ一定である。すなわち、６つの小円マークの輝度はＬ一定である。
【００４５】
時間ｔ３からｔ４において、偏光フィルムＦ１（２つの小円マーク）の輝度はＬから０（ゼロ）まで減少し、偏光フィルムＦ２（２つの小円マーク）の輝度はＬからＬ/２まで減少し、偏光フィルムＦ３（２つの小円マーク）の輝度はＬ一定である。
【００４６】
時間ｔ４からｔ５において、偏光フィルムＦ１（２つの小円マーク）の輝度は０（ゼロ）、偏光フィルムＦ２（２つの小円マーク）の輝度はＬ/２から０（ゼロ）まで減少し、偏光フィルムＦ３（２つの小円マーク）の輝度はＬから０（ゼロ）まで減少する。
【００４７】
したがって、６つの小円マークの輝度変化は、図５（ｂ）の矢印に示すように、６つの小円マークが不規則的に輝いているような表示が可能となる。
【００４８】
（本発明の実施の形態の効果）
本実施の形態に係る表示装置１は以下のような効果を有する。
（１）本発明の実施の形態に係る表示装置１は、透過方向が互いに異なる偏光特性を有して並置される複数のマーク部Ｍ１、Ｍ２、Ｍ３と、各透過方向に対応した偏光方向を有し、各マーク部を照明する偏光源Ｓ１、Ｓ２と、各偏光源の各輝度を独立して制御する制御部１０と、を有して構成されている。これにより、複数のマーク部を同時に表示させることができ、また、複数のマーク部を時系列的に順番に表示させることも可能となる。
（２）上記の同時表示、時系列的な順番表示を組み合わせることにより、多様なマーク表示か可能となる。これにより、マーク部の輝度を動的に変化でき、マーク表示に演出効果を有する表示装置を提供することが可能となる。
（３）実施例１に示したように、１つのマークを複数のマーク部で形成して偏光源Ｓ１、Ｓ２の輝度を時系列的に変化させて照明することにより、１つマークの光が移動するように流れていく表示が可能となる。
（４）実施例２に示したように、複数のマークを偏光源Ｓ１、Ｓ２の輝度を時系列的に変化させて照明することにより、各マークが不規則的に輝いているような表示が可能となる。
【００４９】
以上、本発明のいくつかの実施の形態を説明したが、これらの実施の形態は、一例に過ぎず、特許請求の範囲に係る発明を限定するものではない。これら新規な実施の形態は、その他の様々な形態で実施されることが可能であり、本発明の要旨を逸脱しない範囲で、種々の省略、置き換え、変更等を行うことができる。また、これら実施の形態の中で説明した特徴の組合せの全てが発明の課題を解決するための手段に必須であるとは限らない。さらに、これら実施の形態は、発明の範囲及び要旨に含まれるとともに、特許請求の範囲に記載された発明とその均等の範囲に含まれる。
【符号の説明】
【００５０】
１…表示装置、１０…制御部、Ｆ…多層フィルム、Ｆ０…基材フィルム、Ｆ１、Ｆ２、Ｆ３…偏光フィルム、Ｆ４…不透過フィルム、Ｌ、Ｌ／２…輝度、Ｌ１、Ｌ２…偏光、Ｍ１、Ｍ２、Ｍ３…マーク部、Ｓ１、Ｓ２…偏光源、Ψ…偏光角
【図１】
2018063303.tif 000003
【図２】
2018063303.tif 000004
【図３】
2018063303.tif 000005
【図４】
2018063303.tif 000006
【図５】
2018063303.tif 000007